(57)【要約】【課題】  スライド扉の開閉を容易に行うことができると共に、スライド扉の閉鎖を確実に行うことができるようにした自閉スライド扉を提供することを課題とする。【解決手段】  庫体１の出入口１０を開閉する扉体４と、扉体４の上部に扉吊り具５を介して装着される車輪６と、出入口１０の上部から扉体４の開放位置側に延在して配設されて車輪６が走行可能なレール３と、庫体１と扉吊り具５に係着されると共に、扉体４を閉鎖位置側に移動する弾性力を付勢する引寄せ手段７と、扉体４の下端に垂下状に装着され、床面Ｆに接触するずれパッキン４５とを有する自閉スライド扉Ｄにおいて、扉体４を開放する際のずれパッキン４５と床面Ｆとの抵抗を小さくすると共に、扉体４を閉鎖する際の引寄せ手段７の弾性力を助長するように、レール３を扉体４の開放位置から閉鎖位置に向かって下り勾配に形成する。【選択図】    図２
2005299186.tif 000002
【特許請求の範囲】
【請求項１】
庫体の出入口を開閉する扉体と、上記扉体の上部に扉吊り具を介して装着される車輪と、上記庫体の出入口の上部から扉体の開放位置側に延在して配設され、上記車輪が走行可能なレールと、上記庫体と扉吊り具に係着されると共に、上記扉体を閉鎖位置に移動する弾性力を付勢する引寄せ手段と、上記扉体の下端に垂下状に装着され、床面に接触するずれパッキンと、を具備する自閉スライド扉であって、
上記レールを、上記扉体を開放する際の上記ずれパッキンと床面との抵抗を小さくすると共に、扉体を閉鎖する際の上記引寄せ手段を助長するように、扉体の開放位置側から閉鎖位置側に向かって下り勾配に形成する、ことを特徴とする自閉スライド扉。
【請求項２】
請求項１記載の自閉スライド扉において、
上記レールの勾配を０．２°〜０．５°に設定する、ことを特徴とする自閉スライド扉。
【発明の詳細な説明】
【技術分野】
【０００１】
この発明は、例えばクリーンルームや冷蔵庫、冷凍庫、保管庫、あるいは保冷凍庫（以下に、クリーンルーム等という）におけるスライド扉を動力を用いずに閉鎖させる自閉スライド扉に関するものである。
【背景技術】
【０００２】
一般に、クリーンルーム等のスライド扉としては、クリーンルーム等の出入口の上部から扉体の開放位置側に延在して水平に配設されるレールと、出入口を開閉する扉体の上部に扉吊り具を介して装着されて、レールに走行可能に係合する吊り車輪と、を具備する構造のものが広く使用されている。
【０００３】
このようなクリーンルーム等のスライド扉は、クリーンルーム内の雰囲気を維持するために、スライド扉の閉め忘れを防止する自閉装置を備えた構造のものが使用されている。また、クリーンルーム等の室内の雰囲気を外気と遮断するために、扉体の下端に垂下状に装着され、床面に接触するずれパッキンが設けられている。
【０００４】
上記のような自閉装置を有するスライド扉として、庫体に設けられた弾性機能部材（ばね部材）と扉体とを係着して、弾性機能部材の引張力を利用して扉体を開放位置側から閉鎖位置側に向かって引っ張ることによって、スライド扉を閉鎖位置に移動させる構造のものが知られている（例えば特許文献１）。また、庫体に出入口の上部からスライド扉の開放位置側に延在するガイドレールを、開放位置から閉鎖位置に向かって下り勾配を有して形成することで、スライド扉を閉鎖位置に移動させる構造のものも知られている（例えば特許文献２）。
【特許文献１】特開２００３−３０１６５７号（「特許請求の範囲」、段落番号００１０，００２４、図１、図１１、図１２、図１３）
【特許文献２】特開２００１−１６４８２９号（「特許請求の範囲」、段落番号０００３，００１６，００１７，図１）
【発明の開示】
【発明が解決しようとする課題】
【０００５】
しかしながら、前者すなわち特開２００３−３０１６５７号に記載のものにおいては、弾性機能部材（ばね部材）の引張力によって扉体を引っ張り、扉体を閉鎖位置に移動させる構造であるため、庫体の出入口を完全に閉鎖するには、弾性機能部材の引張力を強くする必要がある。しかし、このように引張力を強くすると、扉体を開放するのに大きな力が必要となるという問題がある。また、扉体の開閉回数が増すに連れて、弾性機能部材が劣化し引張力が低下するので、庫体の出入口を完全に閉鎖することができなくなるという問題があった。一方、後者すなわち特開２００１−１６４８２９号に記載のものにおいては、ガイドレールを開放位置から閉鎖位置に向かって下り勾配に形成する構造であるため、スライド扉を開放する際の抵抗が大きくなるという問題がある。この問題を解消するために、特開２００１−１６４８２９号に記載のものにおいては、スライド扉内に収容されると共に、スライド扉に滑車を介して係着されるウェイトを設け、スライド扉の開閉に伴ってウェイトを昇降させることによって、スライド扉を開放する際の抵抗を軽減する補助機構を設けた構造としている。しかし、このようにスライド扉に補助機構を設けるためには、スライド扉にウェイトの収容スペースを設ける必要があるので、スライド扉の構造が複雑になるという問題があった。また、スライド扉を閉鎖した際の振動等によりウェイトが降下し、不用意にスライド扉が開放してしまうという虞もある。
【０００６】
また、扉体の下端に装着されているずれパッキンと床面との抵抗によって扉体の開閉がスムーズに行えないという問題もあった。
【０００７】
この発明は、上記事情に鑑みてなされたもので、スライド扉の開閉を容易に行うことができると共に、スライド扉の閉鎖を確実に行うことができるようにした自閉スライド扉を提供することを課題とする。
【課題を解決するための手段】
【０００８】
庫体の出入口を開閉する扉体と、上記扉体の上部に扉吊り具を介して装着される車輪と、上記庫体の出入口の上部から扉体の開放位置側に延在して配設され、上記車輪が走行可能なレールと、上記庫体と扉吊り具に係着されると共に、上記扉体を閉鎖位置に移動する弾性力を付勢する引寄せ手段と、上記扉体の下端に垂下状に装着され、床面に接触するずれパッキンと、を具備する自閉スライド扉であって、  上記レールを、上記扉体を開放する際の上記ずれパッキンと床面との抵抗を小さくすると共に、扉体を閉鎖する際の上記引寄せ手段を助長するように、扉体の開放位置側から閉鎖位置側に向かって下り勾配に形成する、ことを特徴とする(請求項１)。
【０００９】
この発明において、上記レールの勾配を０．２°〜０．５°に設定する方が好ましい（請求項２）。勾配が０．２°より小さいと、引寄せ手段の弾性力を必要以上に大きくしなければならず、また、勾配が０．５°より大きいと、扉体の開放の際の抵抗が大きくなり、開放に大きな力を要することになる。
【発明の効果】
【００１０】
この発明によれば、上記のように構成されているので、以下のような効果が得られる。
【００１１】
（１）請求項１記載の発明によれば、レールを、扉体を開放する際のずれパッキンと床面との抵抗を小さくすると共に、扉体を閉鎖する際の引寄せ手段を助長するように、扉体の開放位置から閉鎖位置に向かって下り勾配に形成することにより、扉体の開閉の際に、ずれパッキンが持ち上がって床面との接触抵抗が低減されるので、扉体の開放及び閉鎖を容易に行うことができる。また、扉体を閉鎖する際に、扉体が開放位置から閉鎖位置側に下って移動するので、確実に扉体を閉鎖位置に移動することができる。
【００１２】
（２）請求項２記載の発明によれば、レールの勾配を０．２°〜０．５°に形成することにより、レールの勾配を０．２°にした場合でも、扉体を閉鎖する際の引寄せ手段を助長することができると共に、扉体を閉鎖位置まで移動することができ、また、レールの勾配を０．５°にした場合でも、扉体を閉鎖位置から開放位置側に移動するのに大きな力を必要としないので、上記（１）に加えて、更に扉体の開放及び閉鎖を容易に行うことができると共に、扉体の閉鎖を確実に行うことができる。
【発明を実施するための最良の形態】
【００１３】
以下に、この発明に係る自閉スライド扉の最良の形態を添付図面に基づいて詳細に説明する。ここでは、この発明に係る自閉スライド扉をクリーンルームに適用した場合について説明する。
【００１４】
図１は、この発明に係る自閉スライド扉をクリーンルームに適用した場合の扉体の閉鎖状態を示す正面図、図２は、扉体の開放状態を示す正面図、図３は、この発明における自閉スライド扉の要部を示す正面図である。
【００１５】
上記自閉スライド扉Ｄは、クリーンルームの庫体１に開設された出入口用開口部１０（以下に出入口１０という）を開閉する扉体４と、扉体４の上端部に扉吊り具５を介して装着される車輪６と、出入口１０の上部側に取付枠材２を介して、出入口１０の開放位置から閉鎖位置に向かって下り勾配に配設されると共に、車輪６が転走するレール３と、庫体１と扉吊り具５に係着されると共に、扉体１を閉鎖位置に移動すべく引張る弾性力を付勢する引寄せ手段７と、レール３の上方に取付枠材２を介して配設され、一端が扉吊り具５に係合されて、扉体４の開閉の衝撃を緩衝するダンパ８と、扉体４の下端に垂下状に装着され、床面Ｆに接触するずれパッキン４５とによって、主に構成されている。なお、レール３の開放位置側端部には、扉体４の開放位置を規制すると共に、車輪６を保持する車輪受け手段９が取付枠材２を介して配設されている。
【００１６】
上記扉体４は、図４及び図５に示すように、一対の表面板４１と、これら表面板４１の辺部間に介在される枠材４２と、両表面板４１及び枠材４２にて形成される空間内に発泡ポリウレタン等の発泡性の断熱性心材４３を充填したサンドイッチ構造となっており、この扉体４の庫体１側の上辺及び左右辺には、パッキン４４が周設され、扉体４の下端部には、床部Ｆに接触するずれパッキン４５が垂下されている。また、扉体４の閉鎖位置側の側部には、扉体４を開閉するハンドル４６が取り付けられている。また、扉体４の閉鎖時における扉体４の下部表面と床部Ｆの固定側面の対向する面には、扉体４を庫体１側に押圧する密閉移動手段１００が配設されている（図１，図２，図５参照）。
【００１７】
上記車輪６は、扉体４の上端におけるスライド方向の両端側の２箇所に扉吊り具５を介して回転可能に取り付けられており、外周に略Ｕ形の周溝６１を具備して形成されている。
【００１８】
上記扉吊り具５は、扉体４の上端の枠材４２に取付ボルト５７によって取り付けられる扉取付片５１と、この扉取付片５１の一端から垂直に折曲される垂直片５２とによって断面略Ｌ字状に形成され、垂直片５２の上端略中央部に車輪６を取り付ける車輪取付孔５３が穿設されている。なお、以下に、扉体４の閉鎖位置側の扉吊り具５を第１の扉吊り具５Ａとし、扉体４の開放位置側の扉吊り具５を第２の扉吊り具５Ｂとする。この場合、第１の扉吊り具５Ａの垂直片５２の閉鎖位置側には、上記引寄せ手段７と係着する係着片５４が取り付けられている。また、第２の扉吊り具５Ｂの垂直片５２の閉鎖位置側には、上記ダンパ８と係合可能な係合片５５が取り付けられると共に、第２の扉吊り具５Ｂの垂直片５２の開放位置側には、上記車輪受け手段９の衝撃吸収部材９１に当接可能な当接片５６が取り付けられている。
【００１９】
なお、第１及び第２の扉吊り具５Ａ，５Ｂの扉取付片５１と扉体４との間には、それぞれ調節板５８Ａ，５８Ｂが介在されており、扉体４を閉鎖した際に、扉体４の側端部と出入口２の開口部との間に隙間が生じないように高さ調整されている。
【００２０】
上記レール３は、図４に示すように、一辺が取付枠材２の長手方向に沿って配設され、複数の取付ねじ３５によって取り付けられる取付片３１と、この取付片３１の下端から庫体１の外方に向かって垂直に折曲される支持片３２とで断面略Ｌ字状に形成され、支持片３２の上面の先端部位に、取付片３１と略平行に突設されると共に、先端が略円筒状に形成されるレール面３３を有するレール凸条３４が一体に形成されている。また、レール３は、扉体４の開放位置から閉鎖位置に向かって０．２°〜０．５°の下り勾配を有して取り付けられている。なお、レール３は、例えばアルミニウム合金又はステンレス製部材によって形成されている。
【００２１】
このように形成されるレール３は、扉体４の開放位置から閉鎖位置に向かって０．２°〜０．５°の下り勾配を有して取り付けられている。このようにレール３の勾配を０．２°〜０．５°にすることにより、扉体４を開放位置へ移動する際のずれパッキン４５と床面Ｆとの抵抗を小さくすると共に、扉体４を閉鎖位置へ移動する引寄せ手段７の弾性力を助長することができ、扉体４の開放及び閉鎖を容易に行うことができる。また、扉体４を閉鎖位置へ移動する際に、扉体４が開放位置から閉鎖位置側に下って移動するので、確実に扉体４を閉鎖位置に移動することができる。
【００２２】
なお、この場合、上記取付枠材２は、庫体１の出入口１０の上部側に扉体４の閉鎖位置から開放位置に水平に延在して配設されており、上端部に取付枠材２やレール３及び扉体４の車輪６等を覆う化粧カバー２１が装着可能に形成されている。
【００２３】
上記引寄せ手段７は、図３、図６及び図７に示すように、レール３の閉鎖位置側の端部に取付枠材２を介して装着されたボックス７１内に配設されている。この引寄せ手段７は、一端が第１の扉吊り具５Ａの係着片５４に係着されるワイヤ７２と、このワイヤ７２の他端側を巻回する回転可能なリール７３と、リール７３の内部に装着され、ワイヤ７２を常に巻回する方向に弾性力を付勢して扉体４を閉鎖位置側に引張る渦巻きばね７４とを具備して形成されている。なお、リール７３の回転軸７４にはラチェット歯７５が装着されており、ボックス７１の側壁に揺動可能に枢着されたラチェット爪７６が図示しないばね部材の弾性力を付勢してラチェット歯７５に間欠的に係合されている。このようにラチェット歯７５とラチェット爪７６を間欠的に係合させることにより、ラチェット歯７５を回動してラチェット爪７６との係合位置を変更することで、渦巻きばね７４の弾性力の調整を行うことができる。
【００２４】
このように形成される引寄せ手段７は、扉体４の開放位置側への移動に伴って、係着片５４に係着されたワイヤ７２が、ばね部材７４の弾性力に抗してボックス７１内から引き出される（図２、図７（ａ）参照）。そして、開放された扉体４から手を離すと、渦巻きばね７４の弾性力によって、リール７３がワイヤ７２を巻回し、ワイヤ７２によって引張られた扉体４が閉鎖位置側へ移動する（図１、図７（ｂ）参照）。更に、上記レール３の下り勾配によって、引寄せ手段７の渦巻きばね７４の弾性力が助長され、扉体４が閉鎖位置へ移動するので、扉体４の閉鎖を確実にすることができる。
【００２５】
上記ダンパ８は、図１、図２及び図３に示すように、取付枠材２のレール３の上方に床面Ｆに対して平行に配設されている。このダンパ８は、内部に空気が封入されたシリンダ８１と、シリンダ８１内を伸縮自在に摺動し、先端が第２の扉吊り具５Ｂの係合片５５に係合されるピストンロッド８２とで構成されている。なおこの場合、ピストンロッド８２の先端は、例えばマグネットによって形成されており、磁力によって係合片５５と接離可能に係合されている。
【００２６】
このように形成されるダンパ８は、図８に示すように、扉体４が開放位置側に移動するのに伴って、収縮した状態のピストンロッド８２が摺動（伸長）することで、シリンダ８１内の空気抵抗によって扉体４の開放衝撃を緩衝することができる。なお、扉体４を開放する際、ピストンロッド８２が伸長限界に達すると、磁力によって係合されているピストンロッド８２と係合片５５とは切り離される。また、扉体４が閉鎖位置側へ移動するのに伴って、伸長した状態のピストンロッド８２が摺動（収縮）することで、シリンダ８１内の空気抵抗によって扉体４の閉鎖衝撃を緩衝することができる。よって、扉体４の開閉の際の抵抗を少なくすることができ、かつ、扉体４の開閉時の衝撃による騒音を防止すると共に、扉体４の損傷等を防止し、寿命の拡大を図ることができる。
【００２７】
上記ずれパッキン４５は、図２及び図５に示すように、先端が床面Ｆに接触する可撓性を有する帯状に形成され、扉体４の下端部の枠材４２と密閉移動手段１００との隙間４２ａに挿入される挿入片４５ａと、挿入片４５ａから垂下される帯状片４５ｂとで構成されている。なお、ずれパッキン４５は、例えばミラストマー（商品名）等の可撓性を有する材質にて形成されている。
【００２８】
このように形成されるずれパッキン４５は、扉体４を閉鎖した際に、可撓性を有する帯状片４５ｃの先端が床面Ｆに接触することで、庫体１の出入口１０を密閉することができる。
【００２９】
上記車輪受け手段９は、図３に示すように、レール３の開放位置側端部に取付枠材２を介して配設され、扉体４の開放位置を規制すると共に、第２の扉吊り具５Ｂの当接片５６と当接する弾性力を有する衝撃吸収部材９１と、この衝撃吸収部材９１の上部に取り付けられ、車輪６の周縁最上部を押圧してレール面３３との間で車輪６を保持する可撓性を有する車輪保持部材９２とによって主に構成されている。
【００３０】
このように形成される車輪受け手段９は、扉体４を開放した際に、扉体４の当接片５６と衝撃吸収部材９１とが当接することによって、当接時の衝撃を吸収することができる。また、車輪保持手段９２によって車輪６の周縁最上部を押圧してレール面３３との間で可車輪６を保持することで、上記当接時の車輪６の跳ね上がりを抑えることができ、車輪６がレール面３３から脱輪するのを防ぐことができる。
【００３１】
上記のように形成される自閉スライド扉Ｄは、扉体４の開放位置側から閉鎖位置側に向かって０．２°〜０．５°の下り勾配を有して取り付けられているので、扉体４を開放位置側へ移動する際の抵抗を小さくすると共に、扉体４を閉鎖位置側へ移動する引寄せ手段７の弾性力を助長するので、扉体４の開放及び閉鎖を容易に行うことができる。また、扉体４を閉鎖位置側へ移動する際に、扉体４が開放位置側から閉鎖位置側に下って移動するので、確実に扉体４を閉鎖位置に移動することができる。
【００３２】
なお、上記実施形態では、引寄せ手段７が、扉体４の閉鎖位置側の端部の扉吊り具５Ａの係着片５４に係着され、他端が庫体１側に装着されたリール７３に巻回されるワイヤ７２を引張るばね部材７４を具備する場合について説明したが、必ずしもこのような構造に限定されるものではない。例えば、扉体４の開放側端部の扉吊り具５Ｂと庫体１とに係着されて扉体４を閉鎖側に押圧する弾性力を付勢する圧縮ばね部材を具備する構造としてもよい。
【００３３】
また、上記実施形態では、この発明に係る自閉スライド扉をクリーンルームに適用した場合について説明したが、クリーンルーム以外の例えば冷凍庫，保管庫あるいは保冷凍庫等や一般の建物にも同様に適用できることは勿論である。
【図面の簡単な説明】
【００３４】
【図１】この発明に係る自閉スライド扉をクリーンルームに適用した場合の閉鎖状態を示す正面図である。
【図２】図１の開放状態を示す正面図である。
【図３】上記自閉スライド扉の要部を示す正面図である。
【図４】図３のII−II線に沿う断面図である。
【図５】図２のＩ−Ｉ線に沿う断面図である。
【図６】この発明における引寄せ手段を示す拡大正面図である。
【図７】上記引寄せ手段のワイヤの巻回状態を示す断面図（ａ）及び、ワイヤの繰り出し状態を示す断面図（ｂ）である。
【図８】ダンパの摺動状態を示す正面図（ａ）〜（ｄ）である。
【符号の説明】
【００３５】
Ｄ  自閉スライド扉
Ｆ  床面
１  庫体
３  レール
４  扉体
５，５Ａ，５Ｂ  扉吊り具
６  車輪
７  引寄せ手段
１０  出入口
４５  ずれパッキン
【図１】
2005299186.tif 000003
【図２】
2005299186.tif 000004
【図３】
2005299186.tif 000005
【図４】
2005299186.tif 000006
【図５】
2005299186.tif 000007
【図６】
2005299186.tif 000008
【図７】
2005299186.tif 000009
【図８】
2005299186.tif 000010